(57)【要約】      （修正有）【課題】ドアの組立時にドアのチョーク部が変形することを防止できる電子レンジに関する。【解決手段】その内部に調理室が形成された本体と、本体内部に形成された調理室を開閉するように前記本体に結合されるドアと、前記ドアの外観を形成するドアフレーム６０と、高周波の漏れを防ぐように前記ドアフレームの内部に設けられる遮閉板７０と、前記遮閉板のエッジ部に設けられて高周波チョーク溝７２を形成するチョーク部７３と、前記高周波チョーク溝を覆うように設けられたカバー８０と、前記カバーに設けられて前記チョーク部を弾持する変形防止部材９０と、を含むことにより、チョーク部にカバーを結合させる時、チョーク部の終端が変形防止部材を通じてカバーの内側端に支持されることにより、チョーク部の変形を大幅に低減できる効果がある。【選択図】図３
2005106455.tif 000002
【特許請求の範囲】
【請求項１】
その内部に調理室が形成された本体と、
本体内部に形成された調理室を開閉するように前記本体に結合されるドアと、
前記ドアの外観を形成するドアフレームと、
高周波の漏れを防ぐように前記ドアフレームの内部に設けられる遮閉板と、
前記遮閉板のエッジ部に設けられて高周波チョーク溝を形成するチョーク部と、
前記高周波チョーク溝を覆うように設けられたカバーと、
前記カバーに設けられて前記チョーク部を弾持する変形防止部材と、を含むことを特徴とする電子レンジ。
【請求項２】
前記カバーは、前記高周波チョーク溝の内部に延長される内側端と、前記ドアフレームと前記チョーク部との間に延長される外側端とを含み、前記変形防止部材は前記高周波チョーク溝の開放部側の前記チョーク部の終端と前記カバーの内側端との間に設けられることを特徴とする請求項１に記載の電子レンジ。
【請求項３】
前記変形防止部材は前記カバーの内側端に沿って延長形成されることを特徴とする請求項２に記載の電子レンジ。
【請求項４】
前記チョーク部の終端は前記高周波チョーク溝の内側に向けて延長形成され、
前記変形防止部材は前記カバーの内側端から前記チョーク部の終端に向けて延長される延長部と、前記延長部の終端から延長されて前記チョーク部の終端を支持できるように前記延長部と実質的に水平に延長形成された支持部とを含むことを特徴とする請求項２に記載の電子レンジ。
【請求項５】
前記支持部の終端には、前記カバーの内側端に傾いて支持部の終端から延長され、前記変形防止部材の前記高周波チョーク溝への挿入を案内する傾斜部をさらに含み、前記傾斜部の終端は前記カバーの内側端と所定距離だけ離れて設けられることを特徴とする請求項４に記載の電子レンジ。
【請求項６】
前記傾斜部の終端には、前記変形防止部材の弾性変形が一定範囲内で保持できるように前記変形防止部材の弾性変形時に前記カバーの内側端と摩擦する摩擦部がさらに設けられることを特徴とする請求項５に記載の電子レンジ。
【請求項７】
調理室にヒンジ結合されて本体への接近及びエネルギーソースを本体に制限するドアフレームを有するドアが、
前記ドアフレームの内側面に設けられてドア外部へのエネルギー発散を遮り、エッジ部が内側に折り曲げられて高周波チョーク溝を持つチョーク部を形成することにより、エネルギーの外部発散を遮る遮閉板と、
ドアフレームの内側面に設けられて遮閉板と本体前面部との間に位置して異物が高周波チョーク溝に混入することを防止するカバーと、を含み、
前記カバー部は、外力によるチョーク部の変形を低減させる変形防止部材を含むことを特徴とするドア。
【請求項８】
前記カバーは少なくとも一つのフックを含み、前記チョーク部はフックが掛止されてカバーを遮閉板に固定させることにより高周波チョーク溝を覆うように少なくとも一つのフック穴を含むことを特徴とする請求項７に記載のドア。
【請求項９】
前記カバーは、前記高周波チョーク溝の内部に延長される内側端と、前記ドアフレームと前記チョーク部との間に延長される外側端と、前記内側端と外側端を相互連結する連結部とをさらに具備して、前記高周波チョーク溝の内部に異物が混入されることを防止することを特徴とする請求項８に記載のドア。
【請求項１０】
前記変形防止部材は、カバーと一体に形成されることを特徴とする請求項９に記載のドア。
【請求項１１】
前記変形防止部材は、カバーをチョーク部に結合させるために、弾性変形可能な物質からなることを特徴とする請求項９に記載のドア。
【請求項１２】
前記変形防止部材は、高周波チョーク溝に収納される時に弾性変形し、前記高周波チョーク溝に収納された後には弾性復元することを特徴とする請求項１０に記載のドア。
【請求項１３】
前記変形防止部材は、カバーの内側端とチョーク部の終端との間に設けられて、前記カバーの内側端とチョーク部の終端との間を支持することを特徴とする請求項１１に記載のドア。
【請求項１４】
前記変形防止部材は、チョーク部の終端と接している間にチョーク部の終端を支持することにより、チョーク部の変形を減少させることを特徴とする請求項１３に記載のドア。
【請求項１５】
前記変形防止部材は、チョーク部の終端側を向いて高周波チョーク溝の中心部まで延長されてチョーク部の終端を支持する延長部を含むことを特徴とする請求項１４に記載のドア。
【請求項１６】
前記変形防止部材は、チョーク部の終端を支持できるように延長部の終端から延長され、チョーク部の終端と実質的に水平に形成される支持部をさらに含むことを特徴とする請求項１５に記載のドア。
【請求項１７】
前記変形防止部材は、前記支持部の終端から延長されて前記カバーの内側端の方に傾斜を形成する傾斜部をさらに含むことを特徴とする請求項１６に記載のドア。
【請求項１８】
前記変形防止部材が高周波チョーク溝に挿入される時、前記傾斜部が前記チョーク部の終端に沿って移動することにより、カバーがチョーク部に容易に設置されることを特徴とする請求項１７に記載のドア。
【請求項１９】
前記変形防止部材は、前記傾斜部の終端に形成されて、前記変形防止部材が弾性変形する時に前記カバーの内側端と摩擦して前記変形防止部材の塑性変形を防止する摩擦部をさらに含むことを特徴とする請求項１７に記載のドア。
【請求項２０】
調理室にヒンジ結合されて電子レンジへの接近を提供するドアフレームを有する電子レンジのドアが、
エネルギーの外部発散を遮る高周波チョーク溝を持つチョーク部と、
前記ドアフレームの内側面に設けられ、外力がチョーク部に与えられた時にチョーク部の変形を防止する変形防止部材を含むカバーと、を含み、前記カバーが前記チョーク部と結合される時、前記チョーク部の終端が変形防止部材を通じて前記カバーの内側端に支持されることを特徴とする電子レンジのドア。
【発明の詳細な説明】
【技術分野】
【０００１】
本発明は、電子レンジに関し、特に、ドアの組立時にドアのチョーク部が変形させられることを防止できる電子レンジに関する。
【背景技術】
【０００２】
一般に、電子レンジはマグネトロンから発生した高周波を調理室の内部に放射して、調理物に含まれた水分の分子配列を反復変換させることにより、分子間の摩擦熱により調理物を調理する装置である。
【０００３】
前記電子レンジは調理室と電装室とに区画形成された本体を具備し、このうち電装室には高周波を発振して調理室に放射するためのマグネトロンと、マグネトロンに高電圧を印加する高圧トランスなどが装着される。
【０００４】
かつ、調理室前面の本体には調理室を開閉するためのドアが回動可能に結合されるが、前記ドアは中央に透影部が設けられてドアの外観を形成するドアフレームと、ドアフレームの内部に結合されて中央に高周波を遮断するスクリーン状の遮閉部が設けられた遮閉板とを具備する。かつ、遮閉板のエッジには高周波の漏れを防止できるように遮閉板の終端の内側に折り曲げて高周波チョーク溝を形成するチョーク部が設けられ、前記チョーク部は高周波チョーク溝が本体前面側に所定長さの範囲で開放されるようになる。
【０００５】
かつ、遮閉板の後面と本体前面との間には高周波チョーク溝を覆うように設けられたカバーが設置されて、高周波チョーク溝の内部に異物が流入されることを防止する。カバーは開放部を通じて高周波チョーク溝の内部に延長される内側端と、ドアフレームとチョーク部との間に延長される外側端と、前記内側端と外側端を連結する連結部とを具備する。
【０００６】
しかし、前記の従来の電子レンジにおいて、高周波チョーク溝の内部に延長されたカバーの内側端と高周波チョーク溝の開放部、即ちチョーク部の終端は別途の支持物が無くて相互離れた上体を保持するため、ドアの組立時にドアに過度な力が与えられる場合に、チョーク部の終端がカバーの内側端の方に変形させられてチョーク部が変形する恐れがある。そして、前記チョーク部の変形はドアと本体との間に高周波が漏れる問題点を招来する。
【発明の開示】
【発明が解決しようとする課題】
【０００７】
従って、本発明は、ドアの構造を改善してドアの組立時に発生し得るチョーク部の変形を防止できる電子レンジを提供することにその目的がある。
【課題を解決するための手段】
【０００８】
上記の目的を達成するために、本発明に係る電子レンジは、その内部に調理室が形成された本体と、本体内部に形成された調理室を開閉するように前記本体に結合されるドアと、前記ドアの外観を形成するドアフレームと、高周波の漏れを防ぐために前記ドアフレームの内部に設けられる遮閉板と、前記遮閉板のエッジ部に設けられて高周波チョーク溝を形成するチョーク部と、前記高周波チョーク溝を覆うように設けられたカバーと、前記カバーに設けられて前記チョーク部を弾持する変形防止部材と、を含むことを特徴とする。
【０００９】
かつ、前記カバーは前記高周波チョーク溝の内部に延長される内側端と、前記ドアフレームと前記チョーク部との間に延長される外側端とを含み、前記変形防止部材は前記高周波チョーク溝の開放部側の前記チョーク部の終端と前記カバーの内側端との間に設けられることを特徴とする。
【００１０】
かつ、前記変形防止部材は前記カバーの内側端に沿って延長形成されることを特徴とする。
【００１１】
かつ、前記チョーク部の終端は前記高周波チョーク溝の内側に向けて延長形成され、前記変形防止部材は前記カバーの内側端から前記チョーク部の終端に向けて延長される延長部と、前記延長部の終端から延長されて前記チョーク部の終端を支持できるように前記延長部と平行に延長して形成された支持部とを含むことを特徴とする。
【００１２】
かつ、前記支持部の終端には、前記カバーの内側端に傾いて支持部の終端から延長されて、前記変形防止部材の前記高周波チョーク溝への挿入を案内する傾斜部をさらに含み、前記傾斜部の終端は前記カバーの内側端と所定距離だけ離れて設けられることを特徴とする。
【００１３】
かつ、前記傾斜部の終端には、前記変形防止部材の弾性変形が一定範囲内で保持できるように前記変形防止部材の弾性変形時に前記カバーの内側端と摩擦する摩擦部がさらに設けられることを特徴とする。
【発明の効果】
【００１４】
本発明による電子レンジは、カバーの内側端にチョーク部の終端とカバーの内側端との間を支持する変形防止部材が設けられて、チョーク部にカバーを設ける時、チョーク部の終端が変形防止部材を通じてカバーの内側端に支持されるため、チョーク部の変形を大幅に低減できる効果がある。
【発明を実施するための最良の形態】
【００１５】
以下、本発明に係る好ましい実施形態を添付図面を参照しつつ詳細に説明する。
【００１６】
図１に示したように、本発明の実施例による電子レンジは、調理室２０と各種電装品が設けられる電装室３０とに区画形成された本体１０を具備してなる。
【００１７】
調理室２０には、モーター(図示せず)により回転可能に設けられた調理板２１が設けられ、電装室３０には高周波を発生して調理室に放射するマグネトロン３１と、マグネトロン３１に高電圧を印加する高圧トランス３２と、電装室３０の各種部品を冷却するための冷却ファン３３等が装着される。
【００１８】
かつ、本体１０の電装室３０の前面側には電子レンジの各種機能を操作する多数個の操作ボタン４１が設けられたコントロールパネル４０が結合され、本体１０の調理室２０の前面には調理室２０を開閉するようにヒンジ結合されたドア５０が設けられる。
【００１９】
このように構成された本発明による電子レンジは、調理板２１上に調理物を載せてドア５０を閉めた後にコントロールパネル４０を操作すると、マグネトロン３１から発生した高周波が調理室２０の内部に放射されて調理物に含まれた水分の分子配列を反復変換させることにより、分子間の摩擦熱により調理物が調理される。
【００２０】
かつ、ドア５０は図２及び図３に示したように、電子レンジの外観を形成し本体１０の後面が開放された箱状のドアフレーム６０と、高周波を遮るように形成されてドアフレーム６０の内部に結合される板状の遮閉板７０とを具備する。
【００２１】
ドアフレーム６０の中央には外部から調理室２０の内部を覗き見るための透影部６１が設けられ、遮閉板７０の中央には高周波を遮り透映部６１と同様に調理室２０の内部が見えるように網状に形成されたスクリーン部７１が設けられる。かつ、遮閉板７０のエッジには遮閉板７０の終端を内側に折り曲げて高周波チョーク溝７２を形成するチョーク部７３が設けられる。
【００２２】
チョーク部７３はドア５０と本体１０との間に高周波が漏れることを防止するためのものであって、遮閉板７０のエッジ部に沿って設けられ、本体１０の前面側に所定長さの範囲で開放されるように設けられる。
【００２３】
かつ、ドア５０はドアフレーム６０の内部に遮閉板７０が結合された状態で高周波チョーク溝７２を覆うカバー８０を具備する。前記カバー８０は開放部を通じて高周波チョーク溝７２の内部に延長される内側端８１と、ドアフレーム６０とチョーク部７３との間に延長される外側端８２と、内側端８１と外側端８２とを相互連結する連結部８３とを具備して、高周波チョーク溝７２の内部に異物が流入することを防止する。なお、カバー８０が遮閉板７０に固定されるようにカバー８０の外側端８２の終端にはフック８２ａが設けられ、チョーク部７３には前記フック８２ａが掛止するようにフック穴７３ａが形成される。
【００２４】
従って、ドアフレーム６０の内部に遮閉板７０を結合させ、高周波チョーク溝７２を覆うようにカバー８０を設けた状態で、ドアフレーム６０とカバー８０を相互密着するように加圧すると、ドア５０の各構成要素が相互密着してドア５０が組み立てられる。
【００２５】
一方、前記カバー８０には前記ドア５０の組立時にチョーク部７３の変形を防止する変形防止部材９０が設けられる。
【００２６】
変形防止部材９０は高周波チョーク溝７２の開放部、即ちチョーク部７３の終端とカバー８０の内側端８１との間に設けられるが、これは、フック８２ａをフック穴７３ａに掛止する過程でフック８２ａを通じてチョーク部７３に外力が与えられて、チョーク部７３が変形する恐れがあるので、その変形を防止するためである。
【００２７】
本実施例において、前記変形防止部材９０は前記カバー８０と一体で形成され、カバー８０の内側端８１に沿って突出延長される。変形防止部材９０は、高周波チョーク溝７２の開放部、即ちチョーク部７３の終端とカバー８０の内側端との間に位置し、組立時にチョーク部７３がカバー８０の内側端８１に支持されるようにして、チョーク部７３の変形を防止する。
【００２８】
かつ、前記変形防止部材９０はカバー８０に挿入される時、カバー８０がチョーク部７３に容易に結合できるように弾性変形可能に形成されてチョーク部７３の終端を弾持するようになる。このために、変形防止部材９０はチョーク部７３の終端に向けて延長されている延長部９１と、前記延長部９１の終端から延長されてチョーク部７３の終端を支持できるようにチョーク部７３の終端と平行に形成された支持部９２とを具備するが、支持部９２の終端は自由端なので弾性変形できるため、支持部９２がチョーク部７３の終端に接してチョーク部７３の終端を弾持するようになる。
【００２９】
支持部９２の終端にはカバー８０の内側端８１に傾いて延長形成される傾斜部９３が設けられる。傾斜部９３は変形防止部材９０が高周波チョーク溝７２に挿入される時、傾斜部９３がチョーク部７３の終端に沿って移動することにより、カバー８０がチョーク部７３に容易に設けられる。この際、傾斜部９３の終端は支持部９２が弾性変形して弾性力を発揮できるようにカバー８０の内側端８１と所定距離だけ離れた状態を保持する。
【００３０】
図４に示したように、変形防止部材９０の終端には摩擦部９４を形成することも可能であるが、摩擦部９４は支持部９２の弾性変形によりカバー８０の内側端８１と摩擦して支持部９２の変形が一定範囲内で行われるようにして、支持部９２が塑性変形することを防止する。
【００３１】
次に、前記のように構成された本発明による電子レンジのドアの組立過程及びこれによる作用効果について説明する。
【００３２】
まず、高周波チョーク溝７２を覆うように遮閉板７０のフック穴７３ａにカバー８０のフック８２ａを掛止して遮閉板７０にカバー８０を設ける。この際、前記のように遮閉板７０にカバー８０を設ける場合、カバー８０は変形防止部材９０の傾斜部９３により高周波チョーク溝７２へ挿入するように案内され、変形防止部材９０は弾性変形して高周波チョーク溝７２に収納された後に弾性復元する。結果として変形防止部材９０がカバー８０の内側端８１とチョーク部７３の終端との間に設けられて支持することにより、カバー８０が容易にチョーク部７３に挿入結合される。
【００３３】
かつ、カバー８０がチョーク部７３と結合される時、チョーク部７３にはフック８２ａを通じて内側端８１側に外力が作用するが、チョーク部７３の終端は変形防止部材９０を通じてカバー８０の内側端８１に支持されるので、チョーク部７３の内側への変形が低減し、わずかに変形させられても変形防止部材９０が弾性復元することにより共に復元されるので、チョーク部７３の変形は著しく低減する。
【００３４】
前述したように、本発明による電子レンジはカバーの内側端にチョーク部の終端とカバーの内側端との間を支持する変形防止部材が設けられて、チョーク部にカバーを設ける時、チョーク部の終端が変形防止部材を通じてカバーの内側端に支持されるため、チョーク部の変形を大幅に低減できる効果がある。
【００３５】
以上では、本発明を具体的な実施例を挙げて説明してきたが、本発明の思想を外れない範囲内で様々な変形実施が可能であることは当業者にとって自明であり、従って、本発明の範囲は特許請求の範囲及びその請求の範囲と均等なものによって定められるべきである。
【図面の簡単な説明】
【００３６】
【図１】本発明による電子レンジの全体的な構造を示し、本体からドアを分離した後の斜視図である。
【図２】本発明による電子レンジドアを分解した後の斜視図である。
【図３】図１を切取線III−IIIに沿って切った後に矢印方向から見た断面図である。
【図４】本発明の他の実施例による電子レンジのチョーク部及びカバーの断面図である。
【符号の説明】
【００３７】
１０  本体
２０  調理室
２１  調理板
３０  電装室
３１  マグネトロン
３２  高圧トランス
３３  冷却ファン
４０  コントロールパネル
４１  操作ボタン
５０  ドア
６０  ドアフレーム
６１  透影部
７０  遮閉板
７１  スクリーン部
７２  高周波チョーク溝
７３  チョーク部
７３ａ  フック穴
８０  カバー
８１  内側端
８２  外側端
８２ａ  フック
８３  連結部
９０  変形防止部材
９１  延長部
９２  支持部
９３  傾斜部
９４  摩擦部
【図１】
2005106455.tif 000003
【図２】
2005106455.tif 000004
【図３】
2005106455.tif 000005
【図４】
2005106455.tif 000006